(57)【要約】【課題】  ダクトユニットをコンパクト化してトラック等による輸送コスト及び建築物内外での搬送コストを低減し、施工作業が簡便な空調用エルボユニットを提供する。【解決手段】  本発明のエルボユニットのうちの直角エルボは、平行な２辺に４５°及び９０°の角度で交叉する２辺を有する直角台形状の壁体３，４と、直角台形の平行な辺の長辺間及び短辺間に配置される矩形状の壁体５，６との接合により組み立てられる２つのピースダクト１，２からなる。壁体３〜６の互いに平行な辺の縁部にスピンハゼ７〜１０が併設され、隣接する壁体のスピンハゼ７〜１０の一方を他方に挿通することにより、ハゼ継ぎ部１５−１〜１５−４が回動自在に形成される。従って、ピースダクト１，２は、各ハゼ継ぎ部１５を回動軸として偏平に折り畳むことが可能である。また、直角台形の傾斜辺側の各壁体３〜６の側縁に併設されたフランジ１１ａ〜１４ａを互いに連結することによりエルボユニットが形成される。【選択図】      図２
2005098626.tif 000002
【特許請求の範囲】
【請求項１】
平行な２辺に４５°及び９０°の角度で交叉する２辺を有する直角台形形状の２枚の壁体と、直角台形の平行な辺の長辺間に配置される矩形状の壁体と、直角台形の平行な辺の短辺間に配置される矩形状の壁体との接合によりそれぞれ組み立てられる２つのピースダクトからなり、２ピースダクトの各壁体の互いに平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動によりピースダクトが偏平可能に変形すると共に、直角台形の傾斜辺側の各壁体の側縁に接続フランジが設けられ、各直角台形の平行な辺の長辺及び短辺をそれぞれ整列させて各ピースダクトに設けられた接続フランジ同士を連結することにより、２つのピースダクトが連結されることを特徴とする空調用エルボユニット。
【請求項２】
台形形状の２枚の壁体、台形の平行な辺の長辺間に配置される矩形状の壁体、及び台形の平行な辺の短辺間に配置される矩形状の壁体の接合により組み立てられる１つの台形ダクトと、直角台形形状の２枚の壁体、直角台形の平行な辺の長辺間に配置される矩形状の壁体、及び直角台形の平行な辺の短辺間に配置される矩形状の壁体の接合により組み立てられる２つの端部ダクトとの３ピースダクトからなり、３ピースダクトの各壁体の対向する平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動により台形ダクト及び各端部ダクトがいずれも偏平可能に変形すると共に、スピンハゼが併設された側縁とは別の台形ダクトの各壁体の側縁及び各直角台形の傾斜辺側の各壁体の側縁に接続フランジが設けられ、各台形の平行な辺の長辺及び短辺をそれぞれ整列させて、各端部ダクト及び台形ダクトに設けられた接続フランジ同士をそれぞれ連結することにより、１つの台形ダクトと２つの端部ダクトとが連結されることを特徴とする空調用エルボユニット。
【請求項３】
前記台形ダクトを構成する台形形状の壁体が等脚台形形状の壁体であることを特徴とする請求項２記載のエルボユニット。
【請求項４】
平行四辺形形状の２枚の壁体、及び該各壁体の長辺間に配置される矩形状の２枚の壁体の接合により組み立てられる１つの平行四辺形ダクトと、直角台形形状の２枚の壁体、直角台形の平行な辺の長辺間に配置される矩形状の壁体、及び直角台形の平行な辺の短辺間に配置される矩形状の壁体の接合により組み立てられる２つの端部ダクトとの３ピースダクトからなり、３ピースダクトの各壁体の対向する平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動により平行四辺形ダクト及び各端部ダクトがいずれも偏平可能に変形すると共に、スピンハゼが併設された側縁とは別の平行四辺形ダクトの各壁体の側縁及び各直角台形の傾斜辺側の各壁体の側縁に接続フランジが設けられ、一方の直角台形の平行な辺の長辺、平行四辺形の平行な長辺及び他方の直角台形の平行な辺の短辺を整列させて、各端部ダクト及び平行四辺形ダクトに設けられた接続フランジ同士をそれぞれ連結することにより、１つの平行四辺形ダクトと２つの端部ダクトとが連結されることを特徴とする空調用エルボユニット。
【請求項５】
台形形状の２枚の壁体、台形の平行な辺の長辺間に配置される矩形状の壁体、及び台形の平行な辺の短辺間に配置される矩形状の壁体の接合により組み立てられる第一及び第二の２つの台形ダクトと、直角台形形状の２枚の壁体、直角台形の平行な辺の長辺間に配置される矩形状の壁体、及び直角台形の平行な辺の短辺間に配置される矩形状の壁体の接合により組み立てられる第一及び第二の２つの端部ダクトとの４ピースダクトからなり、４ピースダクトの各壁体の対向する平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動により第一及び第二台形ダクト並びに第一及び第二端部ダクトがいずれも偏平可能に変形すると共に、スピンハゼが併設された側縁とは別の第一及び第二台形ダクトの各壁体の側縁、並びに第一及び第二台形ダクトに隣接する側の第一及び第二端部ダクトの各壁体の側縁に接続フランジが設けられ、各台形の平行な辺の長辺及び短辺をそれぞれ整列させて、第一端部ダクト、第一台形ダクト、第二台形ダクト及び第二端部ダクトの配列で各接続フランジ同士をそれぞれ連結することにより、２つの台形ダクトと２つの端部ダクトとが連結されることを特徴とする空調用エルボユニット。
【請求項６】
前記第一台形ダクト及び第二台形ダクトが同一の構造からなり、前記第一端部ダクト及び第二端部ダクトが同一の構造からなることを特徴とする請求項５記載のエルボユニット。
【請求項７】
前記各スピンハゼは、壁体の両側縁から直角に折曲した平坦部と該平坦部に連続するカール状の湾曲部を有することを特徴とする請求項１〜６のいずれかに記載のエルボユニット。
【請求項８】
円筒状の中空ガスケットが前記ハゼ継ぎ部の軸芯方向に嵌入されていることを特徴とする請求項１〜７のいずれかに記載のエルボユニット。
【請求項９】
前記各ピースダクトに設けられた各接続フランジの隣接する側部にボルト挿通孔が穿孔されたコーナピースを当接させて、接続フランジを介して各ピースダクトの４隅に配置されたコーナピース同士をボルトとナットで締結することにより、隣接するピースダクトが互いに連結されることを特徴とする請求項１〜８のいずれかに記載のエルボユニット。
【請求項１０】
両端部に位置するピースダクトに設けられた前記接続フランジに対向する各壁体の側縁に接続フランジが更に設けられていることを特徴とする請求項１〜９のいずれかに記載のエルボユニット。
【発明の詳細な説明】
【技術分野】
【０００１】
本発明は、矩形の角ダクトに接続される空調用エルボユニットに関する。より詳細には、本発明は、複数に分割されたピースダクトの隣接する壁体の両側縁部に併設されたスピンハゼを回動自在に接合して、ピースダクトを扁平な状態で、施工現場に輸送することを可能にした空調用エルボユニットに関する。
【背景技術】
【０００２】
空調用ダクトは、一般にユニット化された複数のダクトを必要な長さにまで互いに接続して、建築物の天井裏や床下などに設置される。また、空調用ダクトが設置される箇所には、直線部以外に、直角に屈曲したり、段差や傾斜部が通常存在するので、それぞれの箇所に応じて、直角エルボ、４５°に屈曲したエルボ、Ｓ管ダクトユニット等が矩形の角ダクトと接続される。これらのダクトユニットは、一般にユニットを形成する板金製の壁体の両側縁部に、隣接する壁体を接合するためのボタンパンチ・スナップハゼまたはピッツバークハゼを有する。ダクトユニットの接続はアングル工法または共板工法（Ｔ.Ｄ.Ｃ.                                                                           ）が適用される。アングル工法では、アングル鋼材でフランジが製作され、これをダクト本体にリベットで取り付けて、フランジ全周がボルト・ナットで接続される。また、共板工法では、板金を成型加工して共板フランジが製作され、ダクトの組立時にコーナピースを四隅の共板フランジに宛い、ボルト・ナットとフランジ押さえ金具を用いて共板フランジが接続される。
例えば、従来の４５°エルボＡ′は、図２９に示すように、一対の壁体ａ，ａとこれらの壁体間に配置される壁体ｂ，ｃとからなり、各壁体は両側縁にハゼａ-1〜ｃ-1及びこれと直交する両側縁に接続フランジａ-2〜ｃ-2をそれぞれ有する。隣接する壁体のハゼａ-1〜ｃ-1は互いに接合されて、湾曲した筒状のエルボＡ′が形成される。また、接続フランジａ-2〜ｃ-2の両側部にはボルト挿通孔ａ-3〜ｃ-3が穿孔され、角ダクトの接続フランジとボルトで締結される。
【０００３】
ところで、従来のエルボユニットは、板金を加工してハゼ及び接続フランジを有する壁体を製作し、予め工場内で湾曲した筒状体に組み立てた後、施工現場まで変形しないように注意しながらトラックで輸送されている。
しかし、エルボユニットが変形しないように注意しながら輸送しても、壁体の湾曲部分が伸びてその曲率が大きくなることがあり、施工現場で再度曲げ加工を行う必要があった。しかも、組み立てられた状態でエルボユニットをトラック輸送するため、１ユニット当たりの容積が非常に大きくなる。例えば、４トントラックには１００〜１５０ｍ3 に相当する容積のダクトしか積載できず、１台のトラックに積載できるユニットの数は限られてしまう。その結果、輸送効率が極めて低く、エルボユニットの輸送コストが多額なものとなるだけでなく、エネルギー効率が極めて低いため、地球温暖化の主要な要因とされる二酸化炭素の排出量も無視できない。また、近時数多く建設されている高層建築物では、エルボユニットの搬入にスペースを要し、かつ揚重に時間を要し、建築物内外での搬送コストも多額になる。
【０００４】
一方、角ダクトユニットを構成する隣接する２つの壁体及び他の隣接する２つの壁体の屈曲する角部を扁平化し、接続フランジを背中合わせにして２枚の壁体を重ね合わせ、重なりの中間位置で接続フランジを粘着テープ等で結着したダクトユニットの荷造り構造が、提案されている（特許文献１）。この荷造り構造によれば、ダクトユニットの容積を著しく減少させることができるので、ダクトユニットがコンパクトなものとなり、輸送効率の向上が図られる。
しかし、特許文献１に開示された荷造り構造では、扁平化された各壁体を施工時に再び直角に屈曲して本来の角ダクトユニットに戻さなければならず、施工作業が繁雑である。のみならず、接続フランジに直交する各壁体の両側縁に形成されたシームハゼ部が変形しないように注意しながら、屈曲作業を進めなければならず、この点からも施工作業が繁雑である。また、予め形成していた角部の屈曲跡が残り、外観性が劣るという欠点もある。
【特許文献１】特開２００２−１９３３６５号公報
【発明の開示】
【発明が解決しようとする課題】
【０００５】
そこで、本発明の目的は、上述の問題点を解消しようとするものであり、施工作業が簡便でありながら、エルボユニットの湾曲部が輸送時に変形することがなく、エルボユニット自体をコンパクトにして、トラック等による輸送コスト及び建築物内外での搬送に要するコストを大幅に低減することが可能であり、ひいては二酸化炭素の排出量の削減にも繋がる空調用エルボユニットを提供することにある。
【課題を解決するための手段】
【０００６】
前述の問題点を解決すべく、本発明は次の各空調用エルボユニットから構成される。
即ち、本発明の第一の空調用エルボユニットは、平行な２辺に４５°及び９０°の角度で交叉する２辺を有する直角台形形状の２枚の壁体と、直角台形の平行な辺の長辺間に配置される矩形状の壁体と、直角台形の平行な辺の短辺間に配置される矩形状の壁体との接合によりそれぞれ組み立てられる２つのピースダクトからなり、２ピースダクトの各壁体の互いに平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動によりピースダクトが偏平可能に変形すると共に、直角台形の傾斜辺側の各壁体の側縁に接続フランジが設けられ、各直角台形の平行な辺の長辺及び短辺をそれぞれ整列させて各ピースダクトに設けられた接続フランジ同士を連結することにより、２つのピースダクトが連結されることを特徴とする。
【０００７】
本発明の第二の空調用エルボユニットは、台形形状の２枚の壁体、台形の平行な辺の長辺間に配置される矩形状の壁体、及び台形の平行な辺の短辺間に配置される矩形状の壁体の接合により組み立てられる１つの台形ダクトと、直角台形形状の２枚の壁体、直角台形の平行な辺の長辺間に配置される矩形状の壁体、及び直角台形の平行な辺の短辺間に配置される矩形状の壁体の接合により組み立てられる２つの端部ダクトとの３ピースダクトからなり、３ピースダクトの各壁体の対向する平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動により台形ダクト及び各端部ダクトがいずれも偏平可能に変形すると共に、スピンハゼが併設された側縁とは別の台形ダクトの各壁体の側縁及び各直角台形の傾斜辺側の各壁体の側縁に接続フランジが設けられ、各台形の平行な辺の長辺及び短辺をそれぞれ整列させて、各端部ダクト及び台形ダクトに設けられた接続フランジ同士をそれぞれ連結することにより、１つの台形ダクトと２つの端部ダクトとが連結されることを特徴とする。
【０００８】
本発明の第三の空調用エルボユニットは、平行四辺形形状の２枚の壁体、及び該各壁体の長辺間に配置される矩形状の２枚の壁体の接合により組み立てられる１つの平行四辺形ダクトと、直角台形形状の２枚の壁体、直角台形の平行な辺の長辺間に配置される矩形状の壁体、及び直角台形の平行な辺の短辺間に配置される矩形状の壁体の接合により組み立てられる２つの端部ダクトとの３ピースダクトからなり、３ピースダクトの各壁体の対向する平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動により平行四辺形ダクト及び各端部ダクトがいずれも偏平可能に変形すると共に、スピンハゼが併設された側縁とは別の平行四辺形ダクトの各壁体の側縁及び各直角台形の傾斜辺側の各壁体の側縁に接続フランジが設けられ、一方の直角台形の平行な辺の長辺、平行四辺形の平行な長辺及び他方の直角台形の平行な辺の短辺を整列させて、各端部ダクト及び平行四辺形ダクトに設けられた接続フランジ同士をそれぞれ連結することにより、１つの平行四辺形ダクトと２つの端部ダクトとが連結されることを特徴とする。
【０００９】
本発明の第四の空調用エルボユニットは、台形形状の２枚の壁体、台形の平行な辺の長辺間に配置される矩形状の壁体、及び台形の平行な辺の短辺間に配置される矩形状の壁体の接合により組み立てられる第一及び第二の２つの台形ダクトと、直角台形形状の２枚の壁体、直角台形の平行な辺の長辺間に配置される矩形状の壁体、及び直角台形の平行な辺の短辺間に配置される矩形状の壁体の接合により組み立てられる第一及び第二の２つの端部ダクトとの４ピースダクトからなり、４ピースダクトの各壁体の対向する平行な辺の縁部にカール状に湾曲したスピンハゼが併設され、隣接する壁体のスピンハゼを互いに接合して回動自在のハゼ継ぎ部が形成され、これらのハゼ継ぎ部におけるスピンハゼの回動により第一及び第二台形ダクト並びに第一及び第二端部ダクトがいずれも偏平可能に変形すると共に、スピンハゼが併設された側縁とは別の第一及び第二台形ダクトの各壁体の側縁、並びに第一及び第二台形ダクトに隣接する側の第一及び第二端部ダクトの各壁体の側縁に接続フランジが設けられ、各台形の平行な辺の長辺及び短辺をそれぞれ整列させて、第一端部ダクト、第一台形ダクト、第二台形ダクト及び第二端部ダクトの配列で各接続フランジ同士をそれぞれ連結することにより、２つの台形ダクトと２つの端部ダクトとが連結されることを特徴とする。
【００１０】
次に、本発明の作用を説明する。
本発明の第一の空調用エルボユニットは、直角エルボと称されるもので、２つのピースダクト（便宜上、横向きダクト及び縦向きダクトと区別する）を連結することにより形成され、角ダクトが直角に屈曲する箇所に適用される。第二の空調用エルボユニットは、３０°エルボ、４５°エルボ及び６０°エルボが代表的であり、角ダクトが敷設される箇所のうち、段差のある箇所、９０°より大きく湾曲または屈曲する箇所、場合によっては傾斜のある箇所に適用される。このエルボユニットは、台形形状の壁体の平行な辺に交叉する各傾斜辺の角度を適宜変更することにより、２つの端部ダクトと台形ダクトとのなす角度を調整することが可能である。第三の空調用エルボユニットは、Ｓ管ダクトと称されるもので、平行四辺形ダクトに２つの端部ダクトを連結させることにより形成され、傾斜または段差のある箇所に適用される。第四の空調用エルボユニットは、上記直角エルボの変形例であり、場合によっては、連結される２つの角ダクト間に比較的大きく湾曲した構造体が存在するような箇所に適用される。このエルボユニットは、必要に応じて、各台形ダクトのサイズ及び台形形状の壁体の平行な辺に交叉する各傾斜辺の角度を適宜変更することにより、ユニットの湾曲度を調整することも可能である。
第二の空調用エルボユニットにおいては、台形ダクトを構成する台形形状の壁体を等脚台形形状の壁体とすることが好ましい。また、第二及び第三の空調用エルボユニットにおける各端部ダクトを同一の構造とすることが好ましい。第四の空調用エルボユニットにおいては、第一及び第二台形ダクトを同一の構造とし、更に第一及び第二端部ダクトも同一の構造とすることが好ましい。これらの第一及び第二台形ダクト並びに第一及び第二端部ダクトを同一の規格とすることで、２つの台形ダクト間及び端部ダクト間に互換性を持たせることができるので、エルボユニットの組立作業が向上する。
【００１１】
本発明の第一ないし第四の空調用エルボユニットは、各ピースダクトの４枚の壁体全てが平坦な板材から構成されていて、ピースダクトを構成する各壁体の両側縁部にスピンハゼが併設されており、その隣接するスピンハゼを互いに接合して、ハゼ継ぎ部が回動自在に形成されている。このハゼ継ぎ部を回動軸として４枚の壁体からなるピースダクトはリンク結合で接合されるため、各ピースダクトを偏平に折り畳むことができる。
従って、偏平に折り畳まれたピースダクトには、ハゼ継ぎ部は別として接続フランジ以外に折曲部や湾曲部が存在しないので、空調用エルボユニットを構成するピースダクトの壁体が輸送時に変形することはない。また、ピースダクトはコンパクト化された状態で施工現場に輸送されるので、ピースダクトの嵩が１／５〜１／３に激減される。その結果、輸送エネルギーが大幅に削減されるので、二酸化炭素の排出量の削減にも繋がる。
しかも、ダクト置き場も従来のスペースの１／５〜１／３となり、作業スペースを充分に確保することができる。更に施工現場では、偏平なピースダクトを所定の筒状体に戻して、所定のピースダクト同士を連結することにより、熟練工はもとより多能工でもエルボユニットを容易に形成することができる。そのため、施工作業が非常に簡便である。
【００１２】
本発明においては、壁体の両側縁に平坦部を介して各スピンハゼを併設させると、平坦部からカール状に折曲するスピンハゼの湾曲部の曲率半径を短くすることができる。そのため、ハゼ継ぎ部の径も小さくすることができるので、エルボユニットが比較的コンパクトなものとなる。
また、円筒状の中空ガスケットをハゼ継ぎ部内部の軸芯方向に嵌入させておくと、ハゼ継ぎ部の気密性が向上する。
本発明では、隣接するピースダクトの接続フランジを重ね合わせ、この接続フランジを介して、ボルト挿通孔が穿孔されたコーナピースを各ピースダクトの４隅に宛って、コーナピース同士をボルトとナットで締結することにより、所定のエルボユニットを容易に形成することができる。このような共板工法により、エルボユニットの強度を向上させることができる。
更に、上記接続フランジに対向して、エルボユニットの両端部に位置するピースダクトの各壁体の側縁に接続フランジを更に設けることによって、エルボユニットを角ダクトに容易に連結させることができる。
【発明の効果】
【００１３】
本発明によれば、空調用エルボユニットが分割可能な複数のピースダクトからなり、ピースダクトの各壁体の平行な両側縁部にスピンハゼが併設され、隣接するスピンハゼを接合することにより回動自在のハゼ継ぎ部が形成される。そのため、ハゼ継ぎ部を回動軸として各壁体がリンク結合されていて、ピースダクトを偏平に折り畳むことが可能である。従って、エルボユニットをピースダクトに分割した状態でコンパクト化して輸送することができる。しかも、ピースダクトを構成する壁体は全て平板で構成され、接続フランジ以外に湾曲部や折曲部が壁体に存在しないので、ピースダクトの壁体が輸送時に変形するようなことはない。
空調用ダクトを敷設する施工現場では、偏平なピースダクトを所定の筒状体に容易に戻すことができる。そのため、ピースダクト間の隣接する接続フランジ同士を例えばコーナピースを用いて連結することにより、本発明の空調用エルボユニットが形成されるので、施工作業が非常に簡便である。
このように、本発明は、空調用エルボユニットの嵩を大幅に減少させることができるから、トラック等による輸送コスト及び建物内外での搬送コストを格段に低減させることができ、空調用ダクトの施工費用を抑制することが可能である。しかも、本発明は、単位エルボユニット当たりのトラック等による輸送や高層建築物での揚重のエネルギー効率が向上するので、二酸化炭素の排出量の削減にも貢献する。
【発明を実施するための最良の形態】
【００１４】
以下、図面を参照して本発明を詳細に説明する。
図１〜３において、符号Ａは直角エルボと称される第一の空調用エルボユニットであって、横向きダクト１及び縦向きダクト２の２つのピースダクトからなる。各ピースダクト１，２は、防錆処理された４枚の板金製壁体３〜６から構成される。壁体３，４は、平行な２辺に４５°及び９０°の角度で交叉する辺を有する直角台形形状をなす。壁体３，４の平行な辺の長辺間に配置される壁体５は矩形形状をなし、壁体３，４の平行な辺の短辺間に配置される壁体６も矩形形状をなす。また、壁体３，４の平行な辺の両側縁には、カール状に湾曲した一対のスピンハゼ７ａ，７ｂ；８ａ，８ｂがそれぞれ併設されている。壁体３，４の平行な辺に隣接する壁体５，６の両側縁にも、カール状に湾曲した一対のスピンハゼ９ａ，９ｂ；１０ａ，１０ｂがそれぞれ併設されている。
各スピンハゼ７〜１０は、壁体３〜６の平面部から直角に折曲した幅狭の平坦部とこれに連続するカール状の湾曲部を有する。スピンハゼ７〜１０は平坦部を有することが好ましいが、湾曲部の曲率半径を大きくとれば、必ずしも平坦部を形成する必要はない。スピンハゼ９，１０は壁体５，６の両側縁の全長にわたって形成され、スピンハゼ７，８はそれが形成される壁体３，４の辺の両端部に若干の非形成部が存在する。
スピンハゼ７〜１０が形成された両側縁とは各壁体３〜６の別の両側縁に、スピンハゼ７〜１０と反対側に折曲する一対の接続フランジ１１ａ〜１４ａ及び１１ｂ〜１４ｂが併設されている。接続フランジ１１ａ，１２ａ及び１１ｂ〜１４ｂは各壁体に対して直角に折曲し、壁体５，６に併設される接続フランジ１３ａ，１４ａは壁体３，４の平行な２辺に４５°の角度で交叉する辺と平行に折曲している。各接続フランジ１１〜１４は、先端部に直角に折曲した側片を有し、各側片は更に内方に折り曲げられている。
【００１５】
壁体３〜６の隣接する各スピンハゼ７〜１０の一方の湾曲部を他方の湾曲部にスライドさせて挿通することによって、エルボユニットＡのピースダクトにハゼ継ぎ部１５が形成される。具体的には、スピンハゼ９ａ，１０ａ，１０ｂ，９ｂと、スピンハゼ７ａ，７ｂ，８ｂ，８ａとを各々接合して、ハゼ継ぎ部１５-1，１５-2，１５-3，１５-4が形成される。このようにして接合されたハゼ継ぎ部１５は、隣接するスピンハゼ７〜１０の湾曲部の面接触により回動自在である。即ち、各壁体３〜６は、ハゼ継ぎ部１５を回動軸としてリンク結合されていて、接続角度調節自在に結合される。
ハゼ継ぎ部１５からのスピンハゼ同士の脱離を防止するためには、各スピンハゼ７〜１０を優弧ないしはそれ以上カール状に湾曲させて、接合する他方のスピンハゼと重合部を持たせる必要がある。それ故に、スピンハゼ７〜１０の湾曲部は、優弧角２７０°から１巻半程度、中でも２７０°から１巻ほど湾曲していることが好ましい。また、ハゼ継ぎ部１５におけるスピンハゼ間の隙間は、できるだけ小さいことが好ましいが、一方のスピンハゼが他方のものに容易に挿通する程度の僅かな間隔を有することが望ましい。
【００１６】
以上のようにしてスピンハゼ７〜１０を相互に接合すると、前記ピースダクト１，２が形成される。このピースダクトは、同一構造の横向きダクト１及び縦向きダクト２として用いられる。必要に応じて、横向きダクト１と縦向きダクト２とは、直角台形形状をなす壁体３，４の平行な辺の長さが異なっていてもよい。
ハゼ継ぎ部１５からの空調空気の漏洩を防止するために、各ハゼ継ぎ部１５内の軸芯方向にゴム製の円筒状中空ガスケット１６が嵌入されている。中空ガスケット１６は、各ハゼ継ぎ部１５の両端部のみでもあるいはその全長にわたって嵌入してもよい。中空ガスケット１６を各ハゼ継ぎ部１５の軸芯方向に嵌入させることで、シール性にバラツキが生じるようなことはない。なお、接合される２つのスピンハゼの湾曲部間に扁平なガスケットを湾曲させて嵌入させることも考えられるが、この嵌入方法では作業者の技量によりシール性にバラツキが生じるので好ましくない。ガスケット１６の嵌入後には、ハゼ継ぎ部１５からのスピンハゼの脱離を防止するために、ハゼ継ぎ部１５-2を代表して図２に図示しているように、各ハゼ継ぎ部１５の両端部を潰すことが好ましい。
【００１７】
本発明において、第一の空調用エルボユニットＡの横向きダクト１及び縦向きダクト２は、図４に示すように、ハゼ継ぎ部１５を回動軸として偏平に変形させることが可能である。このように折り畳まれた状態で、ダクト１，２はトラック等によりコンテナ輸送され、施工現場に搬入される。各ピースダクト１，２が折り畳まれた状態では、その嵩を１／５〜１／３に減少させることができるので、輸送コスト及び建物内外での搬送コストを大幅に削減することができる。しかも、ダクト置き場のスペースが節約され、ピースダクト１，２の持ち運びも容易である。
施工現場では、各ピースダクト１，２を所定の筒状体に戻した後、各接続フランジ１１〜１４の両端部に後述の隅金具を装着する。その後、空調用ダクトの気密性を確保するためにシール部材を介して、各ピースダクト１，２の壁体３，４の傾斜辺同士を隣接させた状態で、各ピースダクト１，２の４５°の角度で交叉する辺側に併設された接続フランジ１１ａ〜１４ａを互いに重ね合わせる。次いで、各ピースダクト１，２の四隅に両面からボルト挿通孔が穿孔されたＬ字状コーナピースを宛い、ボルトの挿通とナットでの締結により、エルボユニットＡが組み立てられる。
【００１８】
以下に、本発明の第二ないし第四の空調用エルボユニットについて説明する。ただし、第一の空調用エルボユニットＡと相違する部分について詳細に説明し、その他の部分は簡単な説明に留めることにする。
第二の空調用エルボユニットにおいて、図５中の符号Ｂは４５°エルボと称される空調用エルボユニットであって、１つの等脚台形ダクト２１及び２つの端部ダクト２２の板金製の３ピースダクトからなる。図６，７に示す等脚台形ダクト２１は、４枚の壁体２３〜２６から構成される。壁体２３，２４は等脚台形形状をなす。壁体２３，２４の平行な辺の長辺間に配置される壁体２５は矩形形状をなし、壁体２３，２４の平行な辺の短辺間に配置される壁体２６も矩形形状をなす。一方、図８，９に示す端部ダクト２２は、直角台形形状の２枚の壁体２７，２８、直角台形の平行な辺の長辺間に配置される矩形状の壁体２９、及び直角台形の平行な辺の短辺間に配置される矩形状の壁体３０から構成される。
ここで、端部ダクト２２を構成する直角台形形状の壁体２７，２８の傾斜辺の長さは、等脚台形ダクト２１を構成する等脚台形形状の壁体２３，２４の傾斜辺の長さと実質的に等しい。
【００１９】
上記壁体２３，２４の平行な２辺及びこれに隣接する壁体２５，２６の２辺、並びに壁体２７，２８の平行な２辺及びこれに隣接する壁体２９，３０の２辺の縁部には、前述したものと同様のカール状に湾曲した一対のスピンハゼ３１ａ〜３８ａ及び３１ｂ〜３８ｂがそれぞれ併設されている。スピンハゼ３３，３４；３７，３８は壁体２５，２６；２９，３０の両側縁の全長にわたって形成され、スピンハゼ３１，３２；３５，３６は壁体２３，２４；２７，２８の平行な辺の両端部に若干の非形成部が存在する。
スピンハゼ３１〜３８が形成された両側縁とは各壁体２３〜３０の別の両側縁には、スピンハゼ３１〜３８と反対側に折曲する一対の接続フランジ３９ａ〜４６ａ及び３９ｂ〜４６ｂが併設されている。一対の接続フランジ３９，４０；４３，４４及び接続フランジ４５ｂ，４６ｂは、壁体２３，２４；壁体２７，２８及び壁体２９，３０に対して直角に折曲している。一方、壁体２５，２６に併設される一対の接続フランジ４１，４２及び壁体２９，３０に併設される接続フランジ４５ａ，４６ａは、等脚台形形状の壁体２３，２４の傾斜辺と平行に折曲している。
壁体２３〜２６の隣接する各スピンハゼ３１〜３４の一方の湾曲部を他方の湾曲部にスライドさせて挿通することによって、等脚台形ダクト２１のハゼ継ぎ部４７-1〜４７-4が形成される。同様に、壁体２７〜３０の隣接する各スピンハゼ３５〜３８の一方の湾曲部を他方の湾曲部にスライドさせて挿通することによって、端部ダクト２２のハゼ継ぎ部４８-1〜４８-4が形成される。このようにして接合されたハゼ継ぎ部４７，４８は回動自在であり、各壁体２３〜２６；２７〜３０は、ハゼ継ぎ部４７，４８を回動軸としてリンク結合される。また、各ハゼ継ぎ部４７，４８内の軸芯方向には前記中空ガスケット１６が嵌入される。
【００２０】
空調用エルボユニットＢの等脚台形ダクト２１及び端部ダクト２２は、図１０に示すように、ハゼ継ぎ部４７，４８を回動軸として偏平に変形させることが可能であり、折り畳まれた状態でコンテナ輸送されて、空調用ダクトが敷設される施工現場に搬入される。
施工現場では、ピースダクト２１，２２，２２を所定の筒状体に戻した後、後に詳述するように、等脚台形ダクト２１に併設された各接続フランジ３９〜４２及び各端部ダクト２２に併設された接続フランジ４３ａ〜４６ａの両端部に隅金具を装着する。次いで、上記接続フランジ３９ａ〜４２ａ；３９ｂ〜４２ｂと各接続フランジ４３ａ〜４６ａとをシール部材を介して重ね合わせ、各ピースダクト２１，２２，２２の四隅に両面から前記Ｌ字状コーナピースを宛い、ボルトの挿通とナットでの締結により、エルボユニットＢが組み立てられる。その際、等脚台形ダクト２１における壁体２５と端部ダクト２２における各壁体２９、及び壁体２６と各壁体３０を整列させて、即ち各台形形状の平行な辺の長辺及び短辺をそれぞれ整列させて、等脚台形ダクト２１の両側に２つの端部ダクト２２，２２が連結される。
【００２１】
本発明の第二の空調用エルボユニットにおいては、壁体２３，２４における等脚台形形状の鋭角及び鈍角と、壁体２３，２４に隣接する壁体２７，２８の傾斜辺のなす鋭角及び鈍角とを等しくすることが好ましい。例えば、エルボユニットが４５°エルボの場合、鋭角は６７.５°及び鈍角は１１２.５°となる。
しかし、壁体２３，２４は、必ずしも等脚台形形状である必要はなく、２つの傾斜辺の長さが異なる台形形状であってもよい。その場合、２つの端部ダクト２２における直角台形形状の各壁体２７，２８の傾斜辺の長さも異なることになる。即ち、一方の端部ダクトにおける直角台形形状の壁体２７，２８の傾斜辺の長さは台形ダクトにおける台形形状の壁体２３，２４の一方の傾斜辺の長さと実質的に等しく、かつ他方の端部ダクトにおける直角台形形状の壁体２７，２８の傾斜辺の長さは台形ダクトにおける台形形状の壁体２３，２４の他方の傾斜辺の長さと実質的に等しくする必要がある。
また、２つの端部ダクト２２，２２相互は、必要に応じて、直角台形形状をなす壁体２７，２８の平行な辺の長さが異なっていてもよい。
第二の空調用エルボユニットは、台形形状の壁体２３，２４の平行な辺に交叉する各傾斜辺の角度を適宜調整することにより、端部ダクトと台形ダクトとのなす角度を、例えば３０〜６０°の範囲内で変更することができる。例えば、６０°エルボの場合、一方の端部ダクトにおける直角台形形状の壁体２７，２８の平行な辺の長辺と台形ダクトにおける台形形状の壁体２３，２４の平行な辺の長辺とが交叉する角度を１２０°とすればよい。
【００２２】
次に、Ｓ管ダクトと称される第三の空調用エルボユニットについて説明する。図１１に示す空調用エルボユニットＣは、１つの板金製の平行四辺形ダクト５１及び２つの板金製の端部ダクト５２の３ピースダクトからなる。図１２，１３に示す平行四辺形ダクト５１は、平行四辺形形状の２枚の壁体５３，５４とこの壁体５３，５４の長辺間に配置される矩形状の２枚の壁体５５，５６とから構成される。一方、図１４，１５に示す端部ダクト５２は、直角台形形状の２枚の壁体５７，５８、直角台形の平行な辺の長辺間に配置される矩形状の壁体５９、及び直角台形の平行な辺の短辺間に配置される矩形状の壁体６０から構成される。
ここで、端部ダクト５２における直角台形形状の壁体５７，５８の傾斜辺の長さは、平行四辺形ダクト５１における壁体５３，５４の短辺の長さと実質的に等しい。
【００２３】
上記壁体５３，５４の長辺及びこれに隣接する壁体５５，５６の２辺並びに壁体５７，５８の平行な２辺及びこれに隣接する壁体５９，６０の２辺の縁部には、前述のカール状に湾曲した一対のスピンハゼ６１ａ〜６８ａ及び６１ｂ〜６８ｂがそれぞれ併設されている。スピンハゼ６３，６４；６７，６８は壁体５５，５６；５９，６０の両側縁の全長にわたって形成され、スピンハゼ６１，６２；６５，６６はそれが形成される壁体５３，５４；５７，５８の辺の両端部に若干の非形成部が存在する。
スピンハゼ６１〜６８が形成された辺とは各壁体５３〜６０の別の２辺の縁部には、スピンハゼ６１〜６８とは反対側に折曲する一対の接続フランジ６９ａ〜７６ａ及び６９ｂ〜７６ｂが併設されている。一対の接続フランジ６９，７０；７３，７４及び接続フランジ７５ｂ，７６ｂは、壁体５３，５４；壁体５７，５８及び壁体５９，６０に対して直角に折曲している。一方、壁体５５，５６に併設される一対の接続フランジ７１，７２及び壁体５９，６０に併設される接続フランジ７５ａ，７６ａは、平行四辺形形状の壁体５３，５４の短辺と平行に折曲している。
壁体５３〜５６の隣接する各スピンハゼ６１〜６４の一方の湾曲部を他方の湾曲部にスライドさせて挿通することによって、平行四辺形ダクト５１のハゼ継ぎ部７７-1〜７７-4が形成される。同様に、壁体５７〜６０の隣接する各スピンハゼ６５〜６８の一方の湾曲部を他方の湾曲部にスライドさせて挿通することによって、端部ダクト５２のハゼ継ぎ部７８-1〜７８-4が形成される。このようにして接合されたハゼ継ぎ部７７，７８は回動自在であり、各壁体５３〜５６；５７〜６０は、ハゼ継ぎ部７７，７８を回動軸としてリンク結合される。また、各ハゼ継ぎ部７７，７８内の軸芯方向には前記中空ガスケット１６が嵌入される。
【００２４】
空調用エルボユニットＣの平行四辺形ダクト５１及び端部ダクト５２は、図１６に示すように、ハゼ継ぎ部７７，７８を回動軸として偏平に変形させることが可能であり、折り畳まれた状態でコンテナ輸送されて、施工現場に搬入される。
施工現場では、平行四辺形ダクト５１及び端部ダクト５２，５２を所定の筒状体に戻した後、後に言及するように、平行四辺形ダクト５１に併設された各接続フランジ６９〜７２及び各端部ダクト５２に併設された接続フランジ７３ａ〜７６ａの両端部に隅金具を装着する。次いで、上記接続フランジ６９ａ〜７２ａ；６９ｂ〜７２ｂと各接続フランジ７３ａ〜７６ａとをシール部材を介して重ね合わせ、各ピースダクト５１，５２，５２の四隅に両面から前記Ｌ字状コーナピースを宛い、ボルトの挿通とナットでの締結により、エルボユニットＣが組み立てられる。その際、一方の端部ダクト５２における壁体５９と、平行四辺形ダクト５１における壁体５５と、他方の端部ダクト５２における壁体６０とを整列させて、即ち一方の直角台形の平行な辺の長辺、平行四辺形の平行な長辺及び他方の直角台形の平行な辺の短辺をそれぞれ整列させて、平行四辺形ダクト５１の両側に２つの端部ダクト５２，５２が連結される。
第三の空調用エルボユニットは、平行四辺形形状の壁体５３，５４の平行な長辺に交叉する平行な短辺の角度を調整することにより、平行四辺形ダクト５１と端部ダクト５２とのなす角度を適宜変更することができる。
また、２つの端部ダクト５２，５２相互は、必要に応じて、直角台形形状をなす壁体５７，５８の平行な辺の長さが異なっていてもよい。
【００２５】
更に、第四の空調用エルボユニットについて説明する。図１７に示す空調用エルボユニットＤは、板金製の第一及び第二の等脚台形ダクト８１，８２と板金製の第一及び第二の端部ダクト８３，８４の４ピースダクトからなる。図１８，１９に示す第一及び第二の等脚台形ダクト８１，８２は、等脚台形形状の壁体８５，８６、この壁体８５，８６の平行な辺の長辺間に配置される矩形状の壁体８７、及び壁体８５，８６の平行な辺の短辺間に配置される矩形状の壁体８８から構成される。一方、図２０，２１に示す第一及び第二の端部ダクト８３，８４は、直角台形形状の２枚の壁体８９，９０、この壁体８９，９０の平行な辺の長辺間に配置される矩形状の壁体９１、及び壁体８９，９０の平行な辺の短辺間に配置される矩形状の壁体９２から構成される。
ここで、第一及び第二の端部ダクト８３，８４における壁体８９，９０の傾斜辺の長さは、等脚台形形状の壁体８５，８６の傾斜辺の長さと実質的に等しい。
【００２６】
上記壁体８５，８６の平行な２辺及びこれに隣接する壁体８７，８８の２辺、並びに壁体８９，９０の平行な２辺及びこれに隣接する壁体９１，９２の２辺の縁部には、前述のカール状に湾曲した一対のスピンハゼ９３ａ〜１００ａ及び９３ｂ〜１００ｂがそれぞれ併設されている。スピンハゼ９５，９６；９９，１００は壁体８７，８８；９１，９２の両側縁の全長にわたって形成され、スピンハゼ９３，９４；９７，９８はそれが形成される壁体８５，８６；８９，９０の平行な辺の両端部に若干の非形成部が存在する。
スピンハゼ９３〜１００が形成された辺とは各壁体８５〜９２の別の２辺の縁部には、スピンハゼ９３〜１００とは反対側に折曲する一対の接続フランジ１０１ａ〜１０８ａ及び１０１ｂ〜１０８ｂが併設されている。一対の接続フランジ１０１，１０２；１０５，１０６及び接続フランジ１０７ｂ，１０８ｂは、壁体８５，８６；壁体８９，９０及び壁体９１，９２に対して直角に折曲している。一方、壁体８７，８８に併設される一対の接続フランジ１０３，１０４及び壁体９１，９２に併設される接続フランジ１０７ｂ，１０８ｂは、等脚台形形状の壁体８５，８６の傾斜辺と平行に折曲している。
壁体８５〜８８の隣接する各スピンハゼ９３〜９６の一方の湾曲部を他方の湾曲部にスライドさせて挿通することによって、第一及び第二の等脚台形ダクト８１，８２のハゼ継ぎ部１０９-1〜１０９-4が形成される。同様に、壁体８９〜９２の隣接する各スピンハゼ９７〜１００の一方の湾曲部を他方の湾曲部にスライドさせて挿通することによって、第一及び第二の端部ダクト８３，８４のハゼ継ぎ部１１０-1〜１１０-4が形成される。このようにして接合されたハゼ継ぎ部１０９，１１０は回動自在であり、各壁体８５〜８８；８９〜９２は、ハゼ継ぎ部１０９，１１０を回動軸としてリンク結合される。また、各ハゼ継ぎ部１０９，１１０内の軸芯方向には前記中空ガスケット１６が嵌入される。
【００２７】
空調用エルボユニットＤの等脚台形ダクト８１，８２及び端部ダクト８３，８４は、図２２に示すように、ハゼ継ぎ部１０９，１１０を回動軸として偏平に変形させることが可能であり、折り畳まれた状態でコンテナ輸送されて、施工現場に搬入される。
施工現場では、第一及び第二の等脚台形ダクト８１，８２並びに第一及び第二の端部ダクト８３，８４を所定の筒状体に戻す。次に、第一及び第二の等脚台形ダクト８１，８２に併設された各接続フランジ１０１〜１０４並びに第一及び第二の端部ダクト８３，８４に併設された接続フランジ１０５ａ〜１０８ａの両端部に後述の隅金具を装着する。その後、第一端部ダクト８３の接続フランジ１０５ａ〜１０８ａと第一等脚台形ダクト８１の接続フランジ１０１ａ〜１０４ａ、第一等脚台形ダクト８１の接続フランジ１０１ｂ〜１０４ｂと第二等脚台形ダクト８２の接続フランジ１０１ａ〜１０４ａ、及び第二等脚台形ダクト８２の接続フランジ１０１ｂ〜１０４ｂと第二端部ダクト８４の接続フランジ１０５ａ〜１０８ａとをそれぞれシール部材を介して重ね合わせる。そして、各ピースダクト８１〜８４の四隅に両面から前記Ｌ字状コーナピースを宛い、ボルトの挿通とナットでの締結により、エルボユニットＤが組み立てられる。この組立てについては後に言及する。
その際、第一端部ダクト８３の壁体９１、第一及び第二の等脚台形ダクト８１，８２の壁体８７，８７及び第二端部ダクト８４の壁体９１、並びに第一端部ダクト８３の壁体９２、第一及び第二の等脚台形ダクト８１，８２の壁体８８，８８及び第二端部ダクト８４の壁体９２を整列させて、即ち各台形の平行な辺の長辺及び短辺をそれぞれ整列させて、第一及び第二の等脚台形ダクト８１，８２の両側に第一及び第二の端部ダクト８３，８４が連結される。
【００２８】
本発明の第四の空調用エルボユニットにおいて、図１７に示すように、第一の台形ダクト８１と第二の台形ダクト８２、及び第一の端部ダクト８３と第二の端部ダクト８４を同一構造の台形ダクトとすることが好ましい。このような場合、ピースダクト８１と８２及びピースダクト８３と８４は互換性があるので、在庫管理が容易であるだけでなく、施工現場でのピースダクトの連結作業性が向上する。
しかし、壁体８５，８６は、必ずしも等脚台形形状である必要はなく、２つの傾斜辺の長さが異なる台形形状であってもよい。その場合、第一端部ダクト８３における直角台形形状の壁体８９，９０の傾斜辺の長さと第一台形ダクト８１における台形形状の壁体８５，８６の一方の傾斜辺の長さとを実質的に等しくし、第一台形ダクト８１における台形形状の壁体８５，８６の他方の傾斜辺の長さと第二台形ダクト８２における台形形状の壁体８５，８６の一方の傾斜辺の長さをと実質的に等しくし、かつ第二台形ダクト８２における台形形状の壁体８５，８６の他方の傾斜辺の長さと第二端部ダクト８４における直角台形形状の壁体８９，９０の一方の傾斜辺の長さとを実質的に等しくする必要がある。
第四の空調用エルボユニットは、各ピースダクト８１〜８４における台形形状の各壁体８５，８６；８９，９０の平行な辺に交叉する傾斜辺の角度を調整することにより、エルボユニット全体の曲率半径を適宜変更することができる。
また、第一及び第二の端部ダクト８３，８４相互は、必要に応じて、直角台形形状をなす壁体８９，９０の平行な辺の長さが異なっていてもよい。
【００２９】
以上の空調用エルボユニットのうち、第二の空調用エルボユニットを代表させて、各ピースダクトに設けられた接続フランジの共板工法（Ｔ.Ｄ.Ｃ.）による連結について詳細に説明する。
図２３において、等脚台形ダクト２１の各ハゼ継ぎ部４７及び２つの端部ダクト２２の各ハゼ継ぎ部４８が形成されると、等脚台形ダクト２１の隣接する壁体２３〜２６の四隅の接続フランジ３９〜４２間、及び各端部ダクト２２の隣接する壁体２７〜３０の四隅の接続フランジ４３〜４６間には、フランジ部分が存在しない欠け隅１２１が形成される。前述のように、各接続フランジ３９〜４６は各壁体２３〜３０の外側に折曲していて、その長手方向先端部は各壁体２３〜３０に対向する側片を有する。これらの側片は長手方向に沿って内方に折り曲げられた折曲片を有する。
施工現場では、扁平な等脚台形ダクト２１及び端部ダクト２２，２２を所定の筒状体に戻した後、各接続フランジ３９〜４６の両端部の強度を高めるために、図２４，２５に示す第一金具１２２及び第二金具１２３が欠け隅１２１から装着される。図２６には、両金具１２２，１２３を組み合わせて接続フランジ３９〜４６に装着する時に形成される隅金具１２４を図示している。
なお、図２３には、端部ダクト２２の連結端面の左上隅に欠け隅１２１を明示しているが、この箇所にも第一金具１２２及び第二金具１２３が装着されることはいうまでもない。また、各スピンハゼ３１〜３４；３５〜３８の接合後にハゼ継ぎ部４７，４８の両端部は潰されるが、図２３にはハゼ継ぎ部４８-3の一端部のみが押し潰された状態を図示している。
【００３０】
第一金具１２２は、挿入部１２５と第二金具１２３の露出部が着座する受け面１２６からなる。受け面１２６の一側端部には屈曲部１２７が浅く屈曲され、その他側端部と挿入部１２５との境界に段差部１２８が屈曲され、それらの間に浅い凹状の受け面１２６が形成されている。受け面１２６の中間部には幅方向に横切るガイド溝１２９が凹設され、その中心にボルト穴１３０が穿設されている。挿入部１２５には、長手方向に凸条１３１が押し出されている。また、第一金具１２２の長手方向の両側部には、補強用のリブ１３２，１３３が屈曲され、リブ１３２の挿入部１２５側は通常直角に折り曲げられた幅広リブ１３２ａとされている。ここで、等脚台形形状の壁体２３，２４の傾斜辺と平行に折曲する前記一対の接続フランジ４１，４２及び接続フランジ４５ａ，４６ａの隅部に第一金具１２２を装着する場合は、これらの接続フランジとその各壁体との折曲角に上記幅広リブ１３２ａと挿入部１２５との折曲角を実質的に一致させた別の第一金具１２２が使用される。
他方、第二金具１２３は、挿入部１３４と上記受け面１２６に着座する着座面１３５からなる。着座面１３５の一側端部には屈曲部１３６が屈曲され、その一側端部側がスリット１３７で分割されると共に屈曲部１３６より少し長い係止爪１３８が設けられている。着座面１３５と挿入部１３４の境界には浅い段差部１３９が設けられ、着座面１３５の中心にボルト穴１４０が穿設されている。挿入部１３４側の両側には、段差部１３９付近から切込線１４１ａで分割された傾斜凸片１４１，１４１が斜めに押し出され、その端部が外側に延在して段差面を形成する。また、挿入部１３４の中央には、第二金具１２３の装着時に上記ガイド溝１２９に係合する凸条１４２が長手方向に押し出されている。なお、上記段差部１３９は、必ずしも設ける必要はなく、この部分は平坦面であってもよい。
【００３１】
上記両金具１２２，１２３を前記接続フランジ３９〜４６に装着するには、まず各第一金具１２２の受け面１２６を連結される他のピースダクト側に向け、幅広リブ１３２ａを各壁体２３〜３０側にして、リブ１３３を壁体２３〜３０に対向し前記折曲片を有する側片に案内させながら、挿入部１２５を接続フランジ４３ａ〜４６ａ，３９ａ〜４２ａ；３９ｂ〜４２ｂ，４３ａ〜４６ａの裏面の一端部に挿入する。次に、第二金具１２３の凸条１４２側を第一金具１２２の受け面１２６に向け、係止爪１３８側を屈曲部１２７側にして、凸条１４２をガイド溝１２９に案内させながら、挿入部１３４を隣接する各接続フランジ４３〜４６の裏面の一端部に挿入する。挿入部１３４の挿入につれて傾斜凸片１４１，１４１の斜面が受け面１２６に接触して挿入部１３４が受け面１２６から離れるが、傾斜凸片１４１，１４１の両側が屈曲部１２７と段差部１２８に案内されて直進する。そして、傾斜凸片１４１の端部が受け面１２６の端部を越えると、着座面１３５が受け面１２６に密着する。
この状態で、第二金具１２３の着座面１３５の両側に位置する屈曲部１３６及び傾斜凸片１４１，１４１の端部が第一金具１２２の受け面１２６の両側部にほぼ当接し、かつ着座面１３５の両側部が第一金具１２２の屈曲部１２７及び段差部１２８にほぼ当接するので、両金具１２２，１２３は、互いに長手方向及び幅方向に動くことはできず、回動することもできない。その後、図２６(Ｃ)に示すように、係止爪１３８を折り曲げてリブ１３３を押さえると、両金具１２２，１２３の分離方向の動きも阻止される。更に補足すると、各接続フランジ３９〜４６において、その一端部に第一金具１２２が装着され、同一の接続フランジの他端部には第二金具１２３が装着される。
なお、係止爪１３８が屈曲部１２７側に位置するようにリブ１３３に重ねているが、第二金具１２３を逆向きにして係止爪１３８が段差部１２８側に位置するようにしてもよい。また、係止爪１３８は省略することもできる。
【００３２】
以上のようにして、隅金具１２４が装着されると、共板工法により等脚台形ダクト２１と端部ダクト２２，２２とが連結される。具体的には、等脚台形ダクト２１の接続フランジ３９ａ〜４２ａ；３９ｂ〜４２ｂに隣接する端部ダクト２２，２２の各接続フランジ４３ａ〜４６ａを互いに重ね合わせ、重ね合わされた四隅の接続フランジの両面から図２７に示すＬ字状のコーナピース１４３，１４３を宛い、ボルトとナットで締結することによって、等脚台形ダクト２１と端部ダクト２２，２２が連結される。この際、空調用ダクトの気密性を確保するために、欠け隅１２１を含む接続フランジ３９ａ〜４２ａ，３９ｂ〜４２ｂ；４３ａ〜４６ａ間の全周に、矩形状の環状ガスケット１４４が挟着される。
上記コーナピース１４３は、平面正方形のコーナ部１４５と同コーナ部１４５から直交する方向に延びる実質的に同一構造の側辺部１４６，１４６とからなる。コーナ部１４５と側辺部１４６との境界に段差部１４７が設けられ、コーナ部１４５の平面を側辺部１４６の平面よりほんの僅か高くしている。コーナ部１４５の中心に上記締結用ボルト挿通孔１４８が穿設され、側辺部１４６の長手方向に補強用の凹条１４９が凹設されている。また、コーナピース１４３の幅方向の内外周縁部にはリブ１５０，１５１が屈曲され、内周部側のリブ１５０は外周部側のリブ１５１より幅広である。更に、リブ１５１の側辺部１４６側は幅狭リブ１５１ａとされている。なお、コーナピース１４３の外周角部にはアールを持たせており、その内周角部は円弧状に湾曲している。
上記内周部側のリブ１５０のうち、前記別の第一金具１２２の幅広リブ１３２ａ側に配置されるリブ１５０も、幅広リブ１３２ａと同様に、一対の接続フランジ４１，４２及び接続フランジ４５ａ，４６ａとその各壁体との折曲角に一致するように、側辺部１４６から折り曲げられている。
【００３３】
等脚台形ダクト２１と端部ダクト２２，２２とを連結するには、Ｌ字状の各コーナピース１４３の表面側を各接続フランジ３９〜４６と反対側に向け、コーナ部１４５の外周側のリブ１５１，１５１をそれぞれ第一金具１２２の屈曲部１２７及び第二金具１２３の屈曲部１３６に当接させる。この時、一方の内周部側のリブ１５０は、第一金具１２２の幅広リブ１３２ａ上に当接しても多少離間していてもよい。この状態で、前述のように、接続フランジ３９ａ〜４２ａ，３９ｂ〜４２ｂと接続フランジ４３ａ〜４６ａ間の全周に、上記ボルト挿通孔１４８に対応する箇所に同様のボルト挿通孔が穿設されたガスケット１４４を挟持して、ボルト挿通孔１４８へのボルトの挿通とナットでの締結により、等脚台形ダクト２１と端部ダクト２２，２２とが連結される。
その後、図２８に示すように、連結された等脚台形ダクト２１の接続フランジ３９ａ〜４２ａ；３９ｂ〜４２ｂと端部ダクト２２，２２の各接続フランジ４３ａ〜４６ａの中央部をクランプ１５２で締め付けることにより、接続フランジ３９〜４２，４３ａ〜４６ａ間のシール性がより一層良好なものとなる。
以上の作業によりエルボユニットＢが形成される。本発明のエルボユニットＢは半加工品なので、共板工法によるダクトの組立は、専ら多能工で実施することができ、熟練工を必要としない。
【００３４】
上記等脚台形ダクト２１と端部ダクト２２，２２との連結方法と同様の方法により、第一、第三及び第四の空調用エルボユニットが形成される。即ち、空調用エルボユニットＡにおいては、横向きダクト１及び縦向きダクト２の各接続フランジ１１ａ〜１４ａの両端部に前記隅金具１２４を装着する。次いで、欠け隅を含む各接続フランジ１１ａ〜１４ａ間の全周に環状ガスケット１４４を挟着して、各接続フランジ１１ａ〜１４ａを互いに重ね合わる。この状態で、横向き及び縦向きダクト１，２の四隅に両面からＬ字状コーナピース１４３を宛い、ボルト挿通孔１４８にボルトを挿通してナットでの締結すると共に、連結された各接続フランジの長手方向中央部をクランプ１５２で締め付けることにより、エルボユニットＡが組み立てられる。
第三の空調用エルボユニットにおいては、まず平行四辺形ダクト５１の接続フランジ６９ａ〜７２ａ；６９ｂ〜７２ｂ及び端部ダクト５２，５２の各接続フランジ７３ａ〜７６ａの四隅に隅金具１２４を装着する。次いで、ガスケット１４４を介して上記接続フランジを重ね合わせ、平行四辺形ダクト５１の両端面と端部ダクト５２，５２の一方の端面との欠け隅に対応する隅部に両面からＬ字状コーナピース１４３を宛い、コーナピース１４３のボルト挿通孔１４８にボルトを挿通してナットで締結した後、各接続フランジの中央部をクランプ１５２で締め付けることにより、エルボユニットＣが組み立てられる。
【００３５】
第四の空調用エルボユニットにおいては、まず第一端部ダクト８３の接続フランジ１０５ａ〜１０８ａと第一等脚台形ダクト８１の接続フランジ１０１ａ〜１０４ａ、第一等脚台形ダクト８１の接続フランジ１０１ｂ〜１０４ｂと第二等脚台形ダクト８２の接続フランジ１０１ａ〜１０４ａ、及び第二等脚台形ダクト８２の接続フランジ１０１ｂ〜１０４ｂと第二端部ダクト８４の接続フランジ１０５ａ〜１０８ａに隅金具１２４を装着する。次いで、ガスケット１４４を介して、接続フランジを上述の対応関係でそれぞれ重ね合わせ、各々の欠け隅に対応する接続フランジの隅部にその両面からＬ字状コーナピース１４３を宛い、コーナピース１４３のボルト挿通孔１４８を合致させて、ボルト・ナットで締結する。その後、締結された各接続フランジの中央部をクランプ１５２で締め付けることにより、エルボユニットＤが組み立てられる。
【産業上の利用可能性】
【００３６】
本発明の空調用エルボユニットは、適宜の長さに接続された空調用角ダクトユニットと連結して用いられる。角ダクトユニットの両端面には、通常本発明のエルボユニットに設けられた接続フランジと同じ構造の接続フランジが設けられているので、上述のピースダクトの連結手段と同様の手段で、両ダクトユニットの両端面に設けられた接続フランジ同士を連結することにより、例えば角ダクトが直角に屈曲する箇所や段差または傾斜のある敷設箇所等に本発明の空調用エルボユニットが設置される。
角ダクトユニットの接続フランジに連結する本発明のエルボユニットの両端面に設けられた接続フランジは、次の通りである。エルボユニットＡでは、横向き及び縦向きダクト１，２の各接続フランジ１１ｂ〜１４ｂである。エルボユニットＢでは、端部ダクト２２，２２の各接続フランジ４３ｂ〜４６ｂである。エルボユニットＣでは、端部ダクト５２，５２の各接続フランジ７３ｂ〜７６ｂである。エルボユニットＤでは、第一端部ダクト８３の接続フランジ１０５ｂ〜１０８ｂ及び第二端部ダクト８４の接続フランジ１０５ｂ〜１０８ｂである。
【図面の簡単な説明】
【００３７】
【図１】連結金具を省略した状態の本発明の第一の空調用エルボユニットの一実施例を示す側面図である。
【図２】図１の空調用エルボユニットにおけるピースダクトの斜視図である。
【図３】図２のピースダクトの分解斜視図である。
【図４】図２のピースダクトを扁平に変形させた状態の正面図である。
【図５】連結金具を省略した状態の本発明の第二の空調用エルボユニットの一実施例を示す側面図である。
【図６】図５の空調用エルボユニットにおける等脚台形ダクトの斜視図である。
【図７】図６の等脚台形ダクトの分解斜視図である。
【図８】図５の空調用エルボユニットにおける一方の端部ダクトの斜視図である。
【図９】図８の端部ダクトの分解斜視図である。
【図１０】(Ａ)，(Ｂ)は図６，８の等脚台形ダクト及び端部ダクトを扁平に変形させた状態の正面図である。
【図１１】連結金具を省略した状態の本発明の第三の空調用エルボユニットの一実施例を示す側面図である。
【図１２】図１１の空調用エルボユニットにおける平行四辺形ダクトの斜視図である。
【図１３】図１２の平行四辺形ダクトの分解斜視図である。
【図１４】図１１の空調用エルボユニットにおける一方の端部ダクトの斜視図である。
【図１５】図１４の端部ダクトの分解斜視図である。
【図１６】(Ａ)，(Ｂ)は図１２，１４の平行四辺形ダクト及び端部ダクトを扁平に変形させた状態の正面図である。
【図１７】連結金具を省略した状態の本発明の第四の空調用エルボユニットの一実施例を示す側面図である。
【図１８】図１７の空調用エルボユニットにおける第一または第二の等脚台形ダクトの斜視図である。
【図１９】図１８の等脚台形ダクトの分解斜視図である。
【図２０】図１７の空調用エルボユニットにおける第一または第二の端部ダクトの斜視図である。
【図２１】図２０の端部ダクトの分解斜視図である。
【図２２】(Ａ)，(Ｂ)は図１８，２０の等脚台形ダクト及び端部ダクトを扁平に変形させた状態の正面図である。
【図２３】隅金具及びコーナピースを用いて、第二の空調用エルボユニットの等脚台形ダクトと一方の端部ダクトとの連結動作を説明する斜視図である。
【図２４】(Ａ)〜(Ｃ)は第一金具の平面図、正面図及び側面図である。
【図２５】(Ａ)〜(Ｃ)は第二金具の平面図、正面図及び側面図である。
【図２６】(Ａ)〜(Ｃ)は第一金具と第二金具を組み合わせた状態を示す隅金具の平面図、裏面図及び側面図である。
【図２７】(Ａ)，(Ｂ)はＬ字状コーナピースの平面図及び側面図である。
【図２８】図２３に示す各ピースダクトに設けられた接続フランジ同士を連結した時のその長手方向中央部の断面図である。
【図２９】(Ａ)は従来の空調用エルボユニットの一例を示す斜視図であり、(Ｂ)はその分解斜視図である。
【符号の説明】
【００３８】
Ａ・・・ 第一の空調用エルボユニット、１・・・ 横向きダクト、２・・・ 縦向きダクト、３，４・・・ 直角台形形状の壁体、５，６・・・ 矩形状の壁体、７〜１０・・・ スピンハゼ、１１〜１４・・・ 接続フランジ、１５・・・ ハゼ継ぎ部、１６・・・ ガスケット、
Ｂ・・・ 第二の空調用エルボユニット、２１・・・ 等脚台形ダクト、２２・・・ 端部ダクト、２３，２４・・・ 等脚台形形状の壁体、２５，２６・・・ 矩形状の壁体、２７，２８・・・ 直角台形形状の壁体、２９，３０・・・ 矩形状の壁体、３１〜３８・・・ スピンハゼ、３９〜４６・・・ 接続フランジ、４７，４８・・・ ハゼ継ぎ部、
Ｃ・・・ 第三の空調用エルボユニット、５１・・・ 平行四辺形ダクト、５２・・・ 端部ダクト、５３，５４・・・ 平行四辺形形状の壁体、５５，５６・・・ 矩形状の壁体、５７，５８・・・ 直角台形形状の壁体、５９，６０・・・ 矩形状の壁体、６１〜６８・・・ スピンハゼ、６９〜７６・・・ 接続フランジ、７７，７８・・・ ハゼ継ぎ部、
Ｄ・・・ 第四の空調用エルボユニット、８１・・・ 第一等脚台形ダクト、８２・・・ 第二等脚台形ダクト、８３・・・ 第一端部ダクト、８４・・・ 第二端部ダクト、８５，８６・・・ 等脚台形形状の壁体、８７，８８・・・ 矩形状の壁体、８９，９０・・・ 直角台形形状の壁体、９１，９２・・・ 矩形状の壁体、９３〜１００・・・ スピンハゼ、１０１〜１０８・・・ 接続フランジ、１０９，１１０・・・ ハゼ継ぎ部、
１４３・・・ コーナピース。
【図１】
2005098626.tif 000003
【図２】
2005098626.tif 000004
【図３】
2005098626.tif 000005
【図４】
2005098626.tif 000006
【図５】
2005098626.tif 000007
【図６】
2005098626.tif 000008
【図７】
2005098626.tif 000009
【図８】
2005098626.tif 000010
【図９】
2005098626.tif 000011
【図１０】
2005098626.tif 000012
【図１１】
2005098626.tif 000013
【図１２】
2005098626.tif 000014
【図１３】
2005098626.tif 000015
【図１４】
2005098626.tif 000016
【図１５】
2005098626.tif 000017
【図１６】
2005098626.tif 000018
【図１７】
2005098626.tif 000019
【図１８】
2005098626.tif 000020
【図１９】
2005098626.tif 000021
【図２０】
2005098626.tif 000022
【図２１】
2005098626.tif 000023
【図２２】
2005098626.tif 000024
【図２３】
2005098626.tif 000025
【図２４】
2005098626.tif 000026
【図２５】
2005098626.tif 000027
【図２６】
2005098626.tif 000028
【図２７】
2005098626.tif 000029
【図２８】
2005098626.tif 000030
【図２９】
2005098626.tif 000031